(57)【要約】ヒューズ付き電気遮断装置は、ハウジングと、ハウジングの一方の側から延びるラインコネクタおよび負荷コネクタを有する。ラインバスは、ハウジング内に配置され、ラインコネクタに電気的に接続されている。負荷バスも、ハウジング内に配置され、負荷コネクタに電気的に接続されている。ヒューズ保持カートリッジは、ハウジング内に取り外し可能に挿入できる。ヒューズ保持カートリッジは、本体と、本体の一方の側から延びるライン端子ブレードおよび負荷端子ブレードを含む。ヒューズ保持カートリッジがハウジング内に挿入されたときには、ライン端子ブレードはラインバスに接触し、負荷端子ブレードは負荷バスに接触する。負荷保護ヒューズは、ライン端子ブレードと負荷端子ブレードの間に電流経路を形成するため、ライン端子ブレードと負荷端子ブレードの間に取り外し可能に挿入できる。
2004520686.tif 000002
【特許請求の範囲】
【請求項１】
ハウジングと、
該ハウジングの一方の側から延び、配電盤内の相補型コネクタにはまるようになっているライン差し込みコネクタおよび負荷差し込みコネクタと、
前記ハウジング内に取り外し可能に挿入でき、前記ラインコネクタと前記負荷コネクタの間に電流経路を形成する負荷保護ヒューズ素子を有するヒューズ付き電気遮断装置。
【請求項２】
前記負荷保護ヒューズは、前記ハウジング内に取り外し可能に挿入できるヒューズ保持カートリッジによって保持されている、請求項１に記載のヒューズ付き電気遮断装置。
【請求項３】
前記ハウジングから延び、前記電流経路が遮断されたときに警報信号が出力される警報端子をさらに含む、請求項２に記載のヒューズ付き電気遮断装置。
【請求項４】
前記ヒューズ保持カートリッジは、前記負荷保護ヒューズが前記電流経路を完成しないときに、前記警報端子に前記警報信号を出力する警報ヒューズをさらに有する、請求項３に記載のヒューズ付き電気遮断装置。
【請求項５】
前記警報信号は、前記ヒューズ保持カートリッジが前記ハウジングから取り外されたときに前記警報端子に出力される、請求項４に記載のヒューズ付き電気遮断装置。
【請求項６】
前記警報信号は、前記ヒューズ保持カートリッジが前記ハウジングから取り外されたときに前記警報端子に出力される、請求項３に記載のヒューズ付き電気遮断装置。
【請求項７】
前記ヒューズ保持カートリッジは、該ヒューズ保持カートリッジが前記ハウジング内に挿入されたときに該ハウジングを越えて延びる、間隔を置いて配置された一対のタブを含み、前記警報ヒューズは、該タブの間に配置された開口を介して前記ヒューズ保持カートリッジ内に取り外し可能に挿入できる、請求項４に記載のヒューズ付き電気遮断装置。
【請求項８】
前記ハウジングは、前記配電盤上のリテーナにはまる保持切り込みを含む、請求項１に記載のヒューズ付き電気遮断装置。
【請求項９】
前記差し込みコネクタは、前記ハウジングに取り外し可能に固定されている、請求項１に記載のヒューズ付き電気遮断装置。
【請求項１０】
前記ハウジングは、前記ヒューズ保持カートリッジが該ハウジングから取り外されたときに、前記ラインコネクタと前記警報端子を電気的に結合する接触スイッチを収容している、請求項６に記載のヒューズ付き電気遮断装置。
【請求項１１】
前記ハウジングは、前記ヒューズ保持カートリッジが該ハウジングから取り外されたときに、前記ラインコネクタと前記警報端子を電気的に結合する接触スイッチを収容している、請求項５に記載のヒューズ付き電気遮断装置。
【請求項１２】
小型のハウジングと、
該ハウジングの一方の側から延び、配電盤内の相補型コネクタにはまるようになっているライン差し込みコネクタおよび負荷差し込みコネクタと、
前記ハウジングから延び、前記ラインコネクタと前記負荷コネクタの間に配置された警報端子と、
前記ハウジング内にあり、前記ラインコネクタに電気的に接続されたライン導電経路と、
前記ハウジング内にあり、前記負荷コネクタに電気的に接続された負荷導電経路と、
前記ハウジングに取り外し可能に挿入でき、前記ライン導電経路と前記負荷導電経路の間の電流経路を完成する負荷保護ヒューズと、
該負荷保護ヒューズに並列に接続され、前記電流経路が遮断されたときに前記警報端子に警報信号を出力する警報ヒューズを有するヒューズ付き電気遮断装置。
【請求項１３】
前記負荷保護ヒューズおよび前記警報ヒューズは、前記ハウジングの、前記一方の側の反対側にある開口を介して、該ハウジング内に取り外し可能に挿入できるヒューズ保持カートリッジによって収容されている、請求項１２に記載のヒューズ付き電気遮断装置。
【請求項１４】
前記ヒューズ保持カートリッジは、該ヒューズ保持カートリッジが前記ハウジング内に挿入されたときに前記ライン導電経路および前記負荷導電経路に滑り接触するライン端子ブレードおよび負荷端子ブレードを含み、前記負荷保護ヒューズは、前記ライン端子ブレードと前記負荷端子ブレードの間に延びている、請求項１３に記載のヒューズ付き電気遮断装置。
【請求項１５】
前記ヒューズ保持カートリッジは、前記ライン端子ブレードと前記負荷端子ブレードの間に配置され、前記ライン端子ブレードおよび前記負荷端子ブレードに対して前記負荷保護ヒューズを概ね中心に配置するための突起を含む、請求項１４に記載のヒューズ付き電気遮断装置。
【請求項１６】
前記ヒューズ保持カートリッジは、該ヒューズ保持カートリッジが前記ハウジング内に挿入されたときに該ハウジングを越えて延びる、間隔を置いて配置された一対のタブをさらに含み、前記警報ヒューズは、該タブの間に配置された開口を介して前記ヒューズ保持カートリッジに取り外し可能に挿入できる、請求項１４に記載のヒューズ付き電気遮断装置。
【請求項１７】
前記ハウジングは、前記配電盤上のリテーナにはまる保持切り込みを含む、請求項１２に記載のヒューズ付き電気遮断装置。
【請求項１８】
前記ヒューズ保持カートリッジが前記ハウジングから取り外されたときに、前記警報端子に警報信号を出力するために前記ラインコネクタと前記警報端子を電気的に結合する接触スイッチを前記ハウジング内にさらに含む、請求項１２に記載のヒューズ付き電気遮断装置。
【請求項１９】
前記差し込みコネクタは、前記ハウジングに取り外し可能に固定されている、請求項１２に記載のヒューズ付き電気遮断装置。
【請求項２０】
ハウジングと、
該ハウジングの一方の側から延びるライン差し込みコネクタおよび負荷差し込みコネクタと、
前記ハウジング内にあり、前記ラインコネクタに電気的に接続されたラインバスと、
前記ハウジング内にあり、前記負荷コネクタに電気的に接続された負荷バスと、
前記ハウジング内に取り外し可能に挿入できるヒューズ保持カートリッジであって、
本体と、
該本体の一方の側から延び、該ヒューズ保持カートリッジが前記ハウジング内に挿入されたときに前記ラインバスに接触するライン端子ブレード、および、前記負荷バスに接触する負荷端子ブレードと、
該ライン端子ブレードと該負荷端子ブレードの間に取り外し可能に挿入でき、該ライン端子ブレードと該負荷端子ブレードの間に電流経路を形成する負荷保護ヒューズを含むヒューズ保持カートリッジと、
前記ハウジング内にあり、前記ヒューズ保持カートリッジが該ハウジングから取り外されたのを検出する回路を有するヒューズ付き電気遮断装置。
【請求項２１】
前記ハウジングから延び、前記ヒューズ保持カートリッジが前記ハウジングから取り外されたときに前記回路によって警報信号を出力される警報端子をさらに含む、請求項２０に記載のヒューズ付き電気遮断装置。
【請求項２２】
前記回路は、前記ヒューズ保持カートリッジが前記ハウジングから取り外されたときに前記ラインコネクタを前記警報端子に電気的に結合する、請求項２１に記載のヒューズ付き電気遮断装置。
【請求項２３】
前記負荷保護ヒューズと並列に接続され、前記電流経路が遮断されたときに前記警報端子に警報信号を出力する警報ヒューズをさらに含む、請求項２２に記載のヒューズ付き電気遮断装置。
【請求項２４】
前記警報ヒューズは、前記本体によって収容されている、請求項２３に記載のヒューズ付き電気遮断装置。
【請求項２５】
前記警報ヒューズは、前記本体に取り外し可能に挿入できる、請求項２４に記載のヒューズ付き電気遮断装置。
【請求項２６】
前記ヒューズ保持カートリッジは、該ヒューズ保持カートリッジが前記ハウジング内に挿入されたときに該ハウジングを越えて延び、つかむのを容易にするため、各々がリブ付きの外表面を有する、間隔を置いて配置された一対のタブをさらに含む、請求項２５に記載のヒューズ付き電気遮断装置。
【請求項２７】
前記ハウジングは、前記配電盤上のリテーナにはまる保持切り込みを含む、請求項２１に記載のヒューズ付き電気遮断装置。
【請求項２８】
前記差し込みコネクタは、前記ハウジングに取り外し可能に固定されている、請求項２１に記載のヒューズ付き電気遮断装置。
【発明の詳細な説明】
【技術分野】
【０００１】
本発明は、概して、低電圧大電流配電システムに関し、特に、配電システムに使用されるヒューズ付き電気遮断装置に関する。
【背景技術】
【０００２】
遠距離通信システムにおける電話中継局のような配電システムは、多数の顧客にサービスを提供するために、大規模に構築されることが少なくない。電話通信はたいていの仕事に必須であるので、この種の遠距離通信システムが極めて高い信頼性を有するということを保証することが必要である。たいていの遠距離通信システムは、停電が発生した場合に遠距離通信システムの動作を維持するために、通常の電源からの電力が利用不可能になったときにはいつでも、遠距離通信機器を動作させる電力を供給する複数の大容量蓄電池を含むのが通常である。
【０００３】
このような遠距離通信システムでは、電池と電力変換器は、動作している遠距離通信機器が一群の電源から電力を供給されるように一緒に接続されるのが通常である。それにもかかわらず、保守活動および設置活動を行うために、個々の遠距離通信機器（またはそれらの小さいグループ）を電源から隔離できることが望ましい。遠距離通信機器に個々に過負荷保護装置を設けることもまた望ましい。
【０００４】
遠距離通信機器の一般的な過負荷保護装置は、２つのカテゴリー、すなわち、ヒューズ付き電気遮断装置および回路ブレーカに分類される。ヒューズ付き電気遮断装置は通常、電源供給バスと負荷の遠距離通信機器を相互接続する配電盤に接続され、過負荷状態または障害状態が存在するときに電力を遮断する交換可能なヒューズを含んでいる。過負荷状態または障害状態が発生し、ヒューズ付き電気遮断装置のヒューズが切れたときは、このヒューズをヒューズ付き電気遮断装置から取り外して交換しないかぎり、遠距離通信機器への電流を回復することはできない。ヒューズ付き電気遮断装置の多数の変形例が存在する。たとえば、警報ヒューズと保護ヒューズを含むヒューズ付き電気遮断装置が、Ｍａｒａｃｈらの米国特許第５，３５５，２７４号で開示されている。
【０００５】
回路ブレーカは通常、差し込み型コネクタ含み、負荷の遠距離通信機器と電源供給バスを相互接続する配電盤に差し込まれる。ヒューズ付き電気遮断装置と同様に、回路ブレーカも過負荷状態または障害状態が存在するときに電力を遮断するが、回路ブレーカを配電盤から取り外すことなく遠距離通信機器への電流を回復するために、手動でリセットすることができる。
【０００６】
ヒューズ付き電気遮断装置と回路ブレーカの接続インタフェースおよび相対的なサイズは、現在までのところ、かなり異なるものになってきている。その結果、もともとヒューズ付き電気遮断装置と使用できるようにセットアップされた配電システムに回路ブレーカを設置することは不可能になってきている。逆もまた同様である。したがって、それまで配電システムで使用されてきた過負荷保護装置の種類を切り換えるのは、コストおよび時間がかかるため、実際的ではない。
【０００７】
したがって、本発明の目的は、新しいヒューズ付き電気遮断装置を提供することにある。
【発明の開示】
【０００８】
本発明の一態様によれば、
ハウジングと、
ハウジングの一方の側から延び、配電盤内の相補型コネクタにはまるようになっているライン差し込みコネクタおよび負荷差し込みコネクタと、
ラインコネクタと負荷コネクタの間に電流経路を形成するように、ハウジングに取り外し可能に挿入できる負荷保護ヒューズ素子を有するヒューズ付き電気遮断装置が提供される。
【０００９】
好ましい実施態様では、負荷保護ヒューズは、ハウジング内に取り外し可能に挿入できるヒューズ保持カートリッジによって保持されている。ヒューズ付き電気遮断装置は、ハウジングから延びる警報端子をさらに含んでいる。警報端子には、電流経路が遮断されたときに警報信号が出力される。ヒューズ保持カートリッジは、警報ヒューズも保持することが好ましい。警報ヒューズは、負荷保護ヒューズが電流経路を遮断したときに警報端子に警報信号を出力する。
【００１０】
警報信号は、ヒューズ保持カートリッジがハウジングから取り外されたときにも警報端子に出力されることが好ましい。ハウジングは、ヒューズ保持カートリッジがハウジングから取り外されたときに、ラインコネクタと警報端子を電気的に結合する接触スイッチを収容することが好ましい。
【００１１】
ハウジングは、配電盤上のリテーナにはまり、ヒューズ付き電気遮断装置が単純なプルアウトコネクタとして扱われるのを阻止する保持切り込みを含んでいる。差し込みコネクタが、ヒューズ付き電気遮断装置を従来の方法で配電盤に配線することができるように、ハウジングに取り外し可能に固定されることも好ましい。
【００１２】
本発明の他の態様によれば、
小型のハウジングと、
ハウジングの一方の側から延び、配電盤内の相補型コネクタにはまるようになっているライン差し込みコネクタおよび負荷差し込みコネクタと、
ハウジングから延び、ラインコネクタと負荷コネクタの間に配置された警報端子と、
ハウジング内にあり、ラインコネクタに電気的に接続されたライン導電経路と、
ハウジング内にあり、負荷コネクタに電気的に接続された負荷導電経路と、
ライン導電経路と負荷導電経路の間の電流経路を完成するように、ハウジング内に取り外し可能に挿入できる負荷保護ヒューズと、
負荷保護ヒューズに並列に接続され、電流経路が遮断されたときに警報信号を警報端子に出力する警報ヒューズを有するヒューズ付き電気遮断装置が提供される。
【００１３】
本発明のさらに他の態様によれば、
ハウジングと、
ハウジングの一方の側から延びるライン差し込みコネクタおよび負荷差し込みコネクタと、
ハウジング内にあり、ラインコネクタに電気的に接続されたラインバスと、
ハウジング内にあり、負荷コネクタに電気的に接続された負荷バスと、
ハウジングに取り外し可能に挿入できるヒューズ保持カートリッジであって、
本体と、
本体の一方の側から延び、ヒューズ保持カートリッジがハウジングに挿入されたときに、ラインバスに接触するライン端子ブレード、および、負荷バスに接触する負荷端子ブレードと、
ライン端子ブレードと負荷端子ブレードの間に電流経路を形成するように、ライン端子ブレードと負荷端子ブレードの間に取り外し可能に挿入できる負荷保護ヒューズを含むヒューズ保持カートリッジと、
ハウジング内にあり、ヒューズ保持カートリッジがハウジングから取り外されるのを検出する回路を有するヒューズ付き電気遮断装置が提供される。
【００１４】
本発明は、ヒューズ付き電気遮断装置の接続インタフェースが、回路ブレーカで一般に使用されている差し込み型コネクタと同様な差し込み型コネクタを含むという利点がある。ヒューズ付き電気遮断装置が、この差し込み型コネクタによって、差し込み型コネクタを迅速かつ容易に受け入れるようになっている配電盤に、正面から取り付けられるようになる。このため、負荷装置と電源供給バスの間にヒューズ付き電気遮断装置を配線することはもちろん不要になる。
【００１５】
本発明は、負荷装置への電力が遮断されたときはいつでも、ヒューズ付き電気遮断装置が警報信号を出力するという利点がある。電力遮断は、ヒューズ付き電気遮断装置内のヒューズが切れるか、または、ヒューズ保持カートリッジがハウジングから取り外された結果として起こる。ヒューズ付き電気遮断装置は、ヒューズ保持カートリッジが装置ハウジングから取り外されたときに警報信号を出力するので、ヒューズ保持カートリッジがハウジングから取り外されたが交換されていない状況を検出することができる。
【００１６】
次に、添付の図面を参照して、本発明の実施形態を詳しく説明する。
【発明を実施するための最良の形態】
【００１７】
次に、図１および２を参照すると、本発明によるヒューズ付き電気遮断装置が図示されており、全体的に参照符号２０で示されている。ヒューズ付き電気遮断装置２０は、配電盤に差し込んで、電源供給バスと負荷装置を相互接続するように構成されている。ヒューズ付き電気遮断装置は、電源供給バスと負荷装置の間を流れる電流のヒューズ付き導電経路を構成している。過負荷状態または障害状態が発生し、ヒューズ付き電気遮断装置を流れる電流がその定格を超えた場合、負荷装置への電流が遮断され、過負荷状態または障害状態を示す警報信号が出力される。次に、ヒューズ付き電気遮断装置２０について詳しく説明する。
【００１８】
図を見ると分かるように、この実施形態では、ヒューズ付き電気遮断装置２０は小型であり、概して従来の回路ブレーカに類似している。ヒューズ付き電気遮断装置２０は、２つの主要な素子、すなわち、ヒューズ付き電気遮断装置ハウジング２２と、ハウジング２２に取り外し可能に挿入できるヒューズ保持カートリッジ２４を含んでいる。
【００１９】
ハウジング２２は、それぞれ、リベットの形の複数の留め具３４によって組み立てられ固定された一対のプラスチック製シェル部３０および３２を含んでいる。ハウジング２２は、ヒューズ保持カートリッジ２４が挿入される矩形の開口部４３を形成する障壁４２を含む前方ヒューズ保持カートリッジインタフェース４０を有している。ねじ付き留め具（不図示）は、矩形の空洞４３の両側でハウジング２２の前部の開口部４６を通過し、ハウジング内のナット４４にはまる。
【００２０】
ハウジング２２は、一対の開口部５２ａおよび５２ｂが設けられ、中央に配置された矩形の突起部５２を含む接続インタフェース５０も有している。図１を見ると分かるように、警報端子５４が中央の開口部５２ａの中に挿入される。負荷側バス５６およびライン側バス５８を露出するための開口部が、ハウジング２２の後部の突起部５２の両側に設けられている。負荷側差し込み型ブリットコネクタ６０が、負荷側バス５６に取り外し可能に固定されている。詳細には、負荷側コネクタ６０は、負荷側バス５６に固定されたナット６２にねじ込み可能にはまっている。ライン側差し込み型ブリットコネクタ６４が、ライン側バス５８に取り外し可能に固定されている。ライン側コネクタ６４は、ライン側バス５８に固定されたナットにねじ込み可能にはまっている。負荷側コネクタ６０およびライン側コネクタ６４はそれぞれ、配電盤内の相補型コネクタにはまるように構成されている。
【００２１】
空気の流れを良くし、ハウジング内の過熱を抑える排気開口部７０が、ハウジング２２の上部および底部の壁面に設けられている。保持切り込み７２もまた、ハウジング２２の上部および底部の壁面に設けられている。保持切り込み７２は、ヒューズ付き電気遮断装置２０が配電盤に差し込まれたときに、配電盤上のばねクリップ保持素子を収容する。ばねクリップ保持素子は、ヒューズ付き電気遮断装置２０が単純なプルアウトコネクタとして扱われ、ヒューズ付き電気遮断装置が導電している間に配電盤から引き抜かれるのを阻止するように構成されている。これは、通常、ヒューズ付き電気遮断装置には高アンペア電流が流れるので望ましいことである。理解されるように、ヒューズ付き電気遮断装置２０が導電している間にヒューズ付き電気遮断装置２０が配電盤から引き抜かれた場合、アークが発生し、ヒューズ付き電気遮断装置を取り外す人が負傷する恐れがある。
【００２２】
図３、８、１０は、ハウジング２２の内部をより良く示している。図を見ると分かるように、負荷側バス５６は、ハウジングの上部の近くで、ハウジング２２内へ延びている。保持ばね８０が、負荷側バス５６に、その一方の端部において、クリップ８２によって固定されている。保持ばね８０は、ハウジング２２内で内壁８４および８６に接触しており、かつ、切り込みによって壁８６に収容され、負荷側バス５６およびコネクタ６０がハウジング２２から引き抜かれるのを阻止するフック付き端部を有している。ライン側バス５８は、ハウジングの底部の近くで、ハウジング２２内へ延びている。保持ばね８８が、ライン側バス５８に、その一方の端部において、クリップ９０によって固定されている。保持ばね８８は、ハウジング２２内で内壁９２および９４に接触しており、かつ、切り込みによって壁９４に収容され、ライン側バス５８およびコネクタ６４がハウジング２２から引き抜かれるのを阻止するフック付き端部を有している。電流制限抵抗器１００は、ハウジング２２内のライン側バス５８の下方に配置され、後述のように警報信号回路の一部を形成している。
【００２３】
ヒューズ保持カートリッジ２４は、図４から７に最も良く示されている。図を見るとわかるように、ヒューズ保持カートリッジ２４は、互いに組み立てられ固定された一対のプラスチック製シェル部１１２および１１４で構成されている本体１１０を含む。本体１１０は、それぞれ垂直方向に間隔を置いて配置され前方に突き出る一対の上方タブ１１８および下方タブ１２０を含む前方警報ヒューズインタフェース１１６を有している。上方タブ１１８の上側の表面１１８ａおよび下方タブ１２０の下側の表面１２０ａは、ヒューズ保持カートリッジ２４をつかみやすくする、すなわち、ハウジング２２への挿入およびハウジング２２からの取り外しを容易にするリブが構成されている。開口部１２２が、前方警報ヒューズインタフェース１１６におけるタブ１１８とタブ１２０の間に設けられており、警報ヒューズホルダ１２６を受け入れる。警報ヒューズ１２４は、警報ヒューズホルダ１２６に取り外し可能に挿入できる。
【００２４】
本体１１０はまた、それぞれ後方に延びる負荷端子ブレード１３４とライン端子ブレード１３６の間で概ね中央に配置された矩形の突起部１３２を含む接続インタフェース１３０を有している。負荷端子ブレード１３４の端部は、間に薄い保持素子１３８を挟み込むようにして折り返されている。同様に、ライン端子ブレード１３６の端部は、間に薄い保持素子１４０を挟み込むようにして折り返されている。円筒状の負荷保護カートリッジヒューズ１４４は、負荷端子ブレード１３４とライン端子ブレード１３６の間に配置され、負荷端子ブレードとライン端子ブレードの間の電流経路を完成するために、負荷端子ブレードおよびライン端子ブレードに接触している。矩形の突起部１３２は、負荷保護カートリッジヒューズ１４４を負荷端子ブレード１３４とライン端子ブレード１３６の中心に配置させるのに役立つ。警報信号接点１５２ａおよび１５２ｂをそれぞれ露出させる一対の開口部１５０ａおよび１５０ｂが本体１１０の一方の側に設けられている。警報信号接点１５２ａおよび１５２ｂは、後述のように警報信号回路と通信する。
【００２５】
次に図７および１０を参照すると、ヒューズ保持カートリッジ２４の内部がより良く示されている。図を見ると分かるように、負荷端子ブレード１３４は、本体１１０内に延び、警報ヒューズホルダ１２６の上方の内壁１６０上に配置されている。保持素子１３８も負荷端子ブレード１３４の上方を本体１１０内に延び、かつ、上方タブ１１８によって形成される切り込み１６２によって収容され、これによって負荷端子ブレード１３４が本体１１０から取り外されるのを阻止するフック付き末端部を有している。同様に、ライン端子ブレード１３６は、本体１１０内に延び、警報ヒューズ１２６の下方の内壁１６４上に位置している。保持素子１４０もライン端子ブレード１３６の下方を本体１１０内に延び、かつ、下方のタブ１２０によって形成される切り込み１６６によって収容され、それによってライン端子ブレード１３６が本体１２２から取り外されるのを阻止するフック付き末端部を有している。内側の垂直壁１６８は、内壁１６０と内壁１６４の端部まで広がり、警報ヒューズホルダ１２６のストッパを形成している。垂直壁１６８は、警報ヒューズ１２４のピンを通す通路を有している。
【００２６】
警報ヒューズ１２４は、サン・オー・インダストリーズ・カンパニー（Ｓａｎ−Ｏ Ｉｎｄｕｓｔｒｉｅｓ Ｃｏｍｐａｎｙ）によって製造されている種類のものであって、可融素子（不図示）を収容するプラスチック製の矩形本体２００を含むことが好ましい。垂直方向に間隔を置いて配置された３本のピン２０２、２０４、２０６はそれぞれ、本体２００の後部から延びている。警報ヒューズ１２４が警報ヒューズホルダ１２６に挿入されると、上方のピン２０２は、垂直壁１６８の通路を通過し、警報信号接点１５２ａに接触する。底部のピン２０６は、垂直壁１６８の通路を通過し、負荷端子ブレード１３４に導通する型打ちされた導体２０８と接触する。中間ピン２０４は、垂直壁１６８の通路を通過し、警報信号接点１５２ｂに接触する。警報ヒューズの初期導電状態では、ピン２０４および２０６は可融素子によって内部で接続されている。このように、警報ヒューズ１２４は、ラインコネクタ６４と負荷コネクタ６０の間に、負荷保護ヒューズ１４４と並列の電流搬送経路を形成する。
【００２７】
次に図９を参照すると、警報信号回路２５０が示されている。図を見ると分かるように、警報信号回路２５０は、電流制限抵抗器１００の一方の端子と導通する一方の端部を有する導電素子２５２を含んでいる。電流制限抵抗器１００の他方の端子は、導電素子２５４を介してライン側バス５８に電気的に結合されている。導電素子２５２の他方の端部は、警報信号接点１５２ｂに滑り接触するように配置されている。警報信号接点回路２５０は、警報端子５４と導通する一方の端部を有する導電素子２５６も含んでいる。導電素子２５６の他方の端部は、警報信号接点１５２ａに滑り接触するように配置されている。ヒューズ保持カートリッジ検出接触スイッチ２６０は、それぞれ導電素子２５２と導電素子２５６を相互接続する。
【００２８】
図を見ると分かるように、接触スイッチ２６０は、導電素子２５２から外側に直角に延びる導電アーム２６２を含んでいる。Ｌ字形導電アーム２６４は、導電素子２５６から外側に延び、導電アーム２６４の端部に隣接して導電アーム２６４に沿って形成された段２６６を有している。導電アーム２６２は、弾性であり、段に接触して導電アーム２６２と導電アーム２６４の間に電流経路を完成するように内側に段２６６の方へ傾斜されている。ヒューズ保持カートリッジ２４がハウジング２２に挿入されると、ヒューズ保持カートリッジ２４は、接触スイッチ２６０を開くために、導電アーム２６２を段２６６から引き離す。
【００２９】
図１１は、ヒューズ保持カートリッジ２４がハウジング２２に挿入され、ヒューズ保持カートリッジ２４にそれぞれ警報ヒューズ１２４および負荷保護ヒューズ１４４が装填されたヒューズ付き電気遮断装置２０の電気回路概略図を示している。図を見ると分かるように、負荷保護ヒューズ１４４は、負荷端子ブレード１３４とライン端子ブレード１３６の間、したがって、負荷コネクタ６０とラインコネクタ６４の間の電流経路を完成する。警報ヒューズ１２４は、負荷保護ヒューズ１４４と並列接続され、導体２０８を介して負荷端子ブレード１３４に、接点１５２ａおよび導電素子２５６を介して警報端子５４に、電流制限抵抗器１００と導電素子２５２および２５４をそれぞれ介してライン側バス５８に電気的に接続されている。
【００３０】
代表的な動作では、ヒューズ付き電気遮断装置２０は、負荷コネクタ６０が非障害負荷装置に接続され、ラインコネクタ６４が電源供給バスに接続されるように配電盤に差し込まれる。負荷保護ヒューズ１４４および警報ヒューズ１２４がその初期導電状態にあると仮定すると、電流は、ラインおよび負荷端子ブレードおよびバスならびに負荷保護ヒューズ１４４を介して、ラインコネクタと負荷コネクタの間を流れる。警報ヒューズ１２４はまたラインおよびコネクタ６０および６４の両端間に負荷保護ヒューズ１４４と並列に接続されているが、警報ヒューズ１２４は、ほんの一部の電流しか流れないため影響を受けない。
【００３１】
負荷装置または負荷側で障害状態または過負荷状態が発生した場合、負荷保護ヒューズ１４４を通って、負荷保護ヒューズに負荷端子ブレード１３４とライン端子ブレード１３６の間の電流を遮断させる過度の電流が流れる。警報ヒューズ１２４は負荷保護ヒューズ１４４と並列に接続されているので、負荷保護ヒューズ１４４を通る電流が遮断されると、全負荷電流が、電流制限抵抗器１００を介して警報ヒューズ１２４を通って流れる。警報ヒューズは比較的小さい電流搬送容量を有しているので、警報ヒューズ１２４内の可融素子は、電流の顕著な増大に対してほぼ直ちに融解または破壊する。この結果、ラインコネクタ６４は負荷コネクタ６０から電気的に分離される。可融素子が破壊または融解すると、ピン２０２とピン２０４は内部で接続される。その結果、警報ヒューズ１２４は、警報端子５４を、導電素子２５２、２５４、２５６、および電流制限抵抗器１００を介してラインコネクタ６４に電気的に接続する。これによって、警報端子５４に警報信号が出力される。もちろん、警報端子を適切な遠隔監視装置または遠隔表示装置に接続し、それによって過負荷状態の遠隔検出を可能にすることができる。
【００３２】
ヒューズ保持カートリッジ２４は、タブ１１８および１２０をつかみ、ヒューズ保持カートリッジ２４をハウジングから引き出すことによって、ハウジング２２から容易に取り外すことができる。タブ上のリブによって、ヒューズ保持カートリッジを容易につかむことができる。ヒューズ保持カートリッジ２４がハウジング２２から取り外された後、消耗した負荷保護ヒューズ１４４および消耗した警報ヒューズ１２４を新しいヒューズと交換することができる。次に、ヒューズ保持カートリッジ２４を、開口部４３を通してハウジング２２に再挿入することができる。ヒューズ保持カートリッジをハウジング２２に挿入すると、ライン端子ブレードおよび負荷端子ブレードがラインバスおよび負荷バスに滑り接触し、負荷コネクタ６０とラインコネクタ６４の間の電流経路を再完成する。
【００３３】
ヒューズ保持カートリッジ２４をハウジング２２から取り外すと、接触スイッチ２６０を閉じ、それによってラインコネクタ６４を導電素子２５２、２５４、２５６および電流制限抵抗器１００を介して警報端子５４に接続するために、導電アーム２６２が後退して段２６６に接触する。その結果、警報信号が警報端子５４に出力される。これによって、ヒューズ保持カートリッジ２４がハウジング２２から取り外されたが交換されていない状況を検出することができる。
【００３４】
ハウジング２２のシェル部３０および３２は、リベット留め具３４によって互いに固定されるものとして記載されているが、当業者は、超音波溶接のような他の固定方法を使用してもよいことが理解するだろう。さらに、図面では、中央開口部５２ａ内の警報端子５４が示されているが、警報端子５４が負荷コネクタ６０のより近くに配置されるように、警報端子５４を他の開口部５２ｂに挿入してもよい。もちろん、突起部５２に両方の開口部を設けなくてもよい。警報端子５４を収容するいずれかの位置の単一の開口部を突起部に設けることができる。
【００３５】
理解されるように、本発明のヒューズ付き電気遮断装置は、小型であり、回路ブレーカに類似しているため、単一の配電盤構成を、回路ブレーカとヒューズ付き電気遮断装置を収容するのに用いることができる。ヒューズ付き電気遮断装置は、過負荷状態または障害状態が起こったときと、ヒューズ保持カートリッジがハウジングから取り外されたが交換されていないときに警報信号を出力する。
【００３６】
必要に応じて、ヒューズ付き電気遮断装置を、ライン側バスおよび負荷側バスから差し込み型コネクタを取り外すことによって、従来どおりに電源供給バスおよび負荷装置に配線することができる。
【００３７】
本発明の好ましい実施形態について説明したが、当業者は、添付の特許請求の範囲によって定義された本発明の要旨および範囲から逸脱せずに、変形および修正を施してもよいことを理解するだろう。
【図面の簡単な説明】
【００３８】
【図１】本発明によるヒューズ付き電気遮断装置の斜視図である。
【図２】図１のヒューズ付き電気遮断装置の側面図である。
【図３】ヒューズ付き電気遮断装置ハウジングの内部を示す側面図である。
【図４】図１のヒューズ付き電気遮断装置の一部を形成するヒューズ保持カートリッジの斜視図である。
【図５】図４のヒューズ保持カートリッジの側面図である。
【図６】負荷保護ヒューズおよび警報ヒューズを収容する図４のヒューズ保持カートリッジの他の斜視図である。
【図７】図４のヒューズ保持カートリッジの内部を示す側面図である。
【図８】ヒューズ付き電気遮断装置ハウジングとヒューズ保持カートリッジの内部を示す斜視図である。
【図９】図１のヒューズ付き電気遮断装置内の内部電気接続を示す斜視図である。
【図１０】図１のヒューズ付き電気遮断装置内の内部電気接続を示す側面図である。
【図１１】図１のヒューズ付き電気遮断装置の内部電気回路概略図である。
【図１１】
2004520686.tif 000003
【国際公開パンフレット】
2004520686.tif 000004
2004520686.tif 000005
2004520686.tif 000006
2004520686.tif 000007
2004520686.tif 000008
2004520686.tif 000009
2004520686.tif 000010
2004520686.tif 000011
2004520686.tif 000012
2004520686.tif 000013
2004520686.tif 000014
2004520686.tif 000015
2004520686.tif 000016
2004520686.tif 000017
2004520686.tif 000018
2004520686.tif 000019
2004520686.tif 000020
2004520686.tif 000021
2004520686.tif 000022
2004520686.tif 000023
2004520686.tif 000024
2004520686.tif 000025
2004520686.tif 000026
2004520686.tif 000027
2004520686.tif 000028
2004520686.tif 000029
2004520686.tif 000030
2004520686.tif 000031
【国際公開パンフレット（コレクトバージョン）】
2004520686.tif 000032
2004520686.tif 000033
【国際調査報告】
2004520686.tif 000034
2004520686.tif 000035
2004520686.tif 000036